(57)【特許請求の範囲】
【請求項１】
各種物品が固定される固定具と、該固定具と共に取付先を挟み込む押え板とが、前記固定具を回転自在に挿通し且つ前記押え板に螺合するボルトにより連結されると共に、
前記ボルトは、前記固定具の中心から偏心して配置され、
前記固定具と前記押え板との間には、弾性部材が架設されていることを特徴とする固定装置。
【請求項２】
前記ボルトは、前記押え板の中心からも偏心して配置されていることを特徴とする請求項１記載の固定装置。
【請求項３】
前記固定具と前記押え板とが、相互離間して配置された二本のボルトで連結されていることを特徴とする請求項１又は２記載の固定装置。
【請求項４】
前記二本のボルトと螺合するネジ孔のうち、前記弾性部材から遠いボルトと螺合する一方のネジ孔の上部には、該ボルトよりも大径のテーパ部が形成されていることを特徴とする請求項３記載の固定装置。
【請求項５】
前記固定具に固定される物品が水栓であることを特徴とする請求項１〜４のいずれかに記載の固定装置。
【発明の詳細な説明】
【０００１】
【発明の属する技術分野】
本発明は、各種物品が固定される固定具を備えた固定装置に係わり、特に、固定具を取付先に形成された取付穴の表面側からのみの施工で強固に取り付けることのできる固定装置に関する。
【０００２】
【従来の技術】
内側からの取付が困難な壁や天井等に各種物品を取り付ける場合、例えば、流し台や洗面台に水栓を取り付ける場合、流し台や洗面台の下部から水栓を固定するための施工をしなければならない。
かかる作業は、狭くて暗い場所での作業となるため作業性が悪く、専用の工具が必要となったり、取付時間が長時間になるといった問題が発生する。
【０００３】
そこで、上記の対策として、流し台の天板に空けた水栓取付用の穴に、ボルトで水栓固定具と連結された押え板を上部から挿入した後、ボルトを締め回して天板を水栓固定具と押え板とで挟み込むことにより、流し台に固定された水栓固定具に、水栓を上部からの操作のみで取り付けることを可能にした水栓取付構造がいくつか提案されている。
【０００４】
その一案として、天板に空けた水栓取付穴に、環状の水栓固定具（固定台座）とボルトで一体に連結された押え板（リテーナ）を傾斜させながら挿入した後、ボルトを締め回し、天板の裏面側に配置された押え板と、天板の表面側に配置された水栓固定具とで天板を挟み込むことにより、水栓固定具を天板に固定する水栓取付構造が提案されている（特開平８−９３０１２号）。
【０００５】
この水栓取付構造では、水栓取付穴に押え板を傾斜姿勢にて挿入した後、押え板に形成されたスリットと、ナットに設けられた突起とを係合させるためにボルトを引き上げ、その後、ボルトを締め回して水栓固定具と押え板との間に天板を挟み込むことにより、上部からの操作で水栓固定具を天板に固定するようにしている。
【０００６】
【発明が解決しようとする課題】
しかしながら、上記従来法では、ボルトとナットの共回りを防止するために、天板の裏面に押え板を当てることによる摺動抵抗を利用して、ナットと一体化した押え板を回転させないようにしてボルトをナットに締め込むものであるから、ボルトを引き上げて押え板とボルトとを係合させる操作が必要となる。
また、押え板とボルトの係合状態を確認するために、水栓取付穴を上部から覗き込み、押え板の位置を確認する必要もある。
【０００７】
ここで、予め水栓取付穴の上部にて押え板とボルトとを係合させておき、水栓取付穴への挿入時にボルトを傾斜させることにより、押え板を傾斜姿勢にして水栓取付穴に挿入する方法も考えられる。
しかしながら、押え板の上方には水栓固定金具が対向配置されているから、ボルトが短すぎると、水栓固定金具が天板の表面にぶつかり、挿入が困難になる。
よって、例えば３０ｍｍもの厚さがある天板に形成された水栓取付穴に押え板をスムーズに挿入するには、ボルトを長くする必要があり、挿入後におけるボルトの締め回し回数が多くなる。
【０００８】
本発明は、このような事情に鑑みてなされたもので、その目的とするところは、固定装置を作業性良く取付先に取付可能とすること、及び固定装置ひいては物品を長期にわたって強固に固定可能とすることにある。
【０００９】
【課題を解決するための手段】
本発明に係る固定装置は、各種物品が固定される固定具と、該固定具と共に取付先を挟み込む押え板とが、前記固定具を回転自在に挿通し且つ前記押え板に螺合するボルトにより連結されると共に、前記ボルトは、前記固定具の中心から偏心して配置され、前記固定具と前記押え板との間には、弾性部材が架設されていることを特徴とする。かかる構成において、前記ボルトは、前記押え板の中心からも偏心して配置しておくことが好ましい。
また、弾性部材としては、ボルトを中心軸として、押え板を固定具との対向位置から退避可能に旋回させることができ、かつ、その退避状態から押え板を元の対向位置に自動復帰させることが可能な部材、すなわち、変形性が良好で復元力も強いピアノ線やコイルスプリング等が好適に用いられる。
【００１０】
本発明に係る固定装置の取付方法は、前記押え板の外径よりも小径の取付穴に挿入して所定の取付先に取り付ける方法であって、前記ボルトを中心軸として前記押え板を旋回させることにより、該押え板を前記固定具との対向位置から退避させる工程と、前記退避状態を保持しながら、前記ボルトを前記取付穴の軸線に対して傾斜させつつ、前記押え板を前記取付穴に挿入する工程と、前記押え板が前記取付穴に挿入された状態で、前記押え板を前記弾性部材の復元作用により前記固定具との対向位置に復帰させる工程とを備えることを特徴とする。
【００１１】
以上の構成では、取付穴への挿入時には、押え板を旋回させることにより該押え板を固定具との対向位置から退避させておくことができるから、ボルトを取付穴の軸線に対して傾斜させつつ押え板を挿入する際に、固定具を取付先に干渉させることなく、容易に押え板を挿入することが可能となる。
また、固定具と押え板の間隔が短くても、固定具と取付先との干渉を回避し得るから、ボルト長さを短くすることができ、挿入後のボルトの締め回し回数を少なくすることが可能となる。
【００１２】
しかも、取付穴への挿入後は、弾性部材の復元作用により押え板が固定具との対向位置に自動的に戻るため、取付穴の上部から覗き込むようにして行うネジ孔の位置確認が不要となり、作業性が向上する。
さらに、押え板にネジ孔が直接形成されているから、上述した従来例のような、ボルトを引き上げてナットに係合させるといった操作が不要となり、作業性の更なる向上が図られる。
【００１３】
さらに、以上の構成において、前記固定具と前記押え板とを、相互離間して配置された二本のボルトで連結しておけば、取付穴を空けるときのバリが取付先の裏面側に残っていたり、取付穴のまわりが一部欠落している場合であっても、固定具と押え板とにより取付先を強固に締め付けることが可能となる。
【００１４】
また、以上の構成において、前記二本のボルトと螺合するネジ孔のうち、前記弾性部材から遠いボルトと螺合する一方のネジ孔の上部に、該ボルトよりも大径のテーパ部を形成しておけば、押え板の位置復帰が完全でなく、固定具との対向位置を僅かにずれた場合であっても、テーパ部の案内機能によりボルトをネジ孔に導くことができるから、容易かつ確実なボルトの締め付けが可能となる。
【００１５】
さらに、以上の構成において、前記固定具に固定される物品が水栓である場合には、流し台や洗面台等のような下方からの水栓取付作業を余儀なくされる取付先に対しても、固定装置を上部からの施工のみで容易かつ強固に取り付けることが可能である。よって、固定具に固定される水栓も長期にわたり、強固に固定されることとなる。
【００１６】
【発明の実施の形態】
図１は、本発明の一実施の形態に係る水栓固定装置を示す全体構成図である。
この水栓固定装置は、水栓を固定するための水栓固定金具（固定具）１と、該水栓固定金具１と共に流し台や洗面台等の天板を挟み込む押え板２と、水栓固定金具１と押え板２とを連結するボルト３，４と、水栓固定金具１と押え板２との間に架設された復元性を有するサポートピン（弾性部材）５とを備えてなる。
【００１７】
円環状の水栓固定金具１の内周側には、その直径方向に対向離間して配置されたボルト支持部１１，１２と、一方のボルト支持部１１に外接して配置されたサポートピン支持部１３とが設けられている。
ボルト支持部１１，１２には、ボルト３，４の上端部が抜け止めされた状態で回転自在に挿通されるボルト穴３Ａ，４Ａが形成され、また、サポートピン支持部１３には、サポートピン５の上端部が挿入固定されるサポートピン穴５Ａが形成されている。
【００１８】
他方、平面視略円弧状の押え板２には、ボルト３，４が螺合される２つのネジ孔３Ｂ，４Ｂと、サポートピン５の下端部が上下動可能に遊嵌されるサポートピン穴５Ｂとが形成されている。
これらネジ孔３Ｂ，４Ｂ及びサポートピン穴５Ｂは、それぞれ水栓固定金具１側のボルト穴３Ａ，４Ａ及びサポートピン穴５Ａに対応して形成されている。
【００１９】
水栓固定金具１と押え板２は、サポートピン５の下端部を押え板２のサポートピン穴５Ｂに貫通させながら、水栓固定金具１のボルト穴３Ａ，４Ａに挿通されたボルト３，４の下端部を押え板２のネジ孔３Ｂ，４Ｂに螺合することにより、対向離間して配置される。
このとき、ボルト３，４は、水栓固定金具１の中心Ｏ1，及び押え板２の中心Ｏ2から偏心して配置され、一方のボルト３の近傍においては、サポートピン５が水栓固定金具１と押え板２との間に架設された状態となる。
【００２０】
ここで、本実施の形態による水栓固定金具１の中心Ｏ1とは、円環状をなす水栓固定金具１の径方向中心をいい、また、押え板２の中心Ｏ2とは、円弧状をなす押え板２の周方向に沿う中心線の中間点をいうものとする。
また、サポートピン５に近い方のボルト３、つまり、押え板２を旋回させる際の中心軸となるボルト３の先端部には、ネジ孔３Ｂへの螺合後に、押え板２の脱落を防止するための抜け止めリング６を装着しておくことが好ましい。
サポートピン５としては、良好な変形性を有すると共に復元力も強い、例えば、ピアノ線やコイルスプリング等が用いられる。
【００２１】
次に、上記構成からなる水栓固定装置を流し台や洗面台等の天板２１に取り付ける手順について説明する。
なお、天板２１には予め水栓取付用の穴として、水栓固定金具１及び押え板２よりも小径の水栓取付穴２２が形成されているものとする。
従って、押え板２は、天板２１と平行姿勢のままでは水栓取付穴２２に挿入できない。
【００２２】
そこで、水栓固定装置の押え板２を水栓取付穴２２に挿入するには、先ず、図２の如く、サポートピン５の近傍に位置することとなるボルト３のみを用いて、水栓固定金具１と押え板２とを対向離間させて連結しておく。
次いで、図３の如く、ボルト３を中心軸として、押え板２を水栓固定金具１と平行に旋回させる。つまり、押え板２を同一平面内で旋回させる。
【００２３】
このとき、サポートピン５はその弾性により自己の捻りを許容するから、押え板２は水栓固定金具１の中心Ｏ1から偏心して挿通されたボルト３を中心軸として、水栓固定金具１との対向位置から退避する。
この場合に、挿入時における押え板２と天板２１との干渉を最も有効に回避するには、図２の原位置を基準に、押え板２を９０度旋回させる。
次いで、図４の如く、押え板２の退避姿勢を保持したまま、水栓取付穴２２の軸線に対してボルト５を傾斜させつつ水栓取付穴２２に押え板２を挿入する。
【００２４】
すると、図４の場合には、図５のように押え板２との対向位置に水栓固定金具１がないから、ボルト３を短くしても、水栓固定金具１が天板２１に当たることなく、押え板２のみを水栓取付穴２２に容易に挿入することができる。
特に、本実施の形態においては、ボルト３，４が水栓固定金具１及び押え板２の中心Ｏ1，Ｏ2から偏心させることにより、押え板２を水栓固定金具１の対向位置から大きく退避させることが可能であるから、水栓取付穴２２への挿入作業をより容易に行うことができる。
【００２５】
そして、押え板２の挿入後は、サポートピン５の弾性復元作用により、押え板２が図２の状態に自動的に戻るから、ネジ孔４Ｂの位置確認を水栓取付穴２２の上部から覗き込むようにして行わなくても、単にもう一方のボルト４をサポートピン穴４Ａに通して水栓取付穴２２に挿入するだけで、ボルト４はそのままネジ孔４Ｂに螺合される。
【００２６】
このとき、図６の如く、ネジ孔４Ｂの上部に、ボルト４よりも大径のテーパ部３１が形成されていれば、押え板２の位置復帰が完全でなく、ボルト４とネジ孔４Ｂの軸心に多少のズレが生じていても、ボルト４の先端がテーパ部３１の内面に当接しさえすれば、ボルト４が自然とネジ孔４Ｂへと導かれるから、容易かつ確実にボルト４をネジ孔４Ｂに螺合することができる。
【００２７】
そして、ボルト３，４を締め回すと、水栓固定金具１と押え板２とで天板２１が挟み込まれ、水栓固定金具１が天板２１に強固に取り付けられることとなる。
ちなみに、このテーパ部３１は、押え板２の上面開口がボルト４よりも大径とされ、上面から下面に向かうに従い漸次小径となるように形成されている。
【００２８】
なお、本実施の形態では、水栓固定金具１と押え板２とを二本のボルト３，４を用いて連結しているが、ボルトは一本のみでも三本以上であっても構わない。
但し、ボルトが三本以上になると、水栓取付穴２２が相対的に狭くなるため、挿入時の作業性が低下したり、二本のボルトを用いて両端で締め付けておけば、更に両端以外の部分を締め付けても締結力の向上はそれ程見込めないことから、実用性を欠くおそれがある。
【００２９】
また、本実施の形態では、水栓固定金具１に固定される物品として水栓を例にとったが、本発明が、水栓に限らず他の物品を固定するための固定装置に応用可能なことはもとよりである。
【００３０】
【発明の効果】
以上の如く、本発明の固定装置及びその取付方法によれば、以下の効果を得ることができる。
（ａ）押え板を固定具との対向位置から退避させたうえで取付穴へ挿入するから、ボルト長さを長くしなくても、固定具と取付先との干渉を有効に回避しつつ、容易に押え板を取付穴に挿入することができると共に、ボルトの締め回し回数も少なくできる。特に、ボルトを固定具及び押え板の中心から偏心させた場合には、押え板を固定具の対向位置から大きく退避させることが可能となり、取付穴への挿入作業がより容易に行えるようになる。
（ｂ）押え板の取付穴への挿入後は、押え板が自動的に固定具との対向位置に戻るから、ネジ孔の位置確認を行わなくてもボルトを容易に締め付けることができる。特に、ねじ孔の上部にボルトよりも大径のテーパ部を有する場合には、押え板の位置復帰が完全でなくても、テーパ部の案内機能によりボルトがねじ孔へと導かれ、ボルト締結を容易かつ確実に行えるようになる。
（ｃ）固定具と押え板とを二本のボルトにより連結した場合には、取付穴への挿入作業性を損なうことなく、非常に強固な締め付けを行うことができる。
よって、固定装置ひいてはこれに固定される物品を所定の取付先に長期にわたって強固に固定しておくことができる。
【図面の簡単な説明】
【図１】  本発明に係る固定装置の一実施の形態を示す全体構成図である。
【図２】  同固定装置の水栓取付穴挿入前の状態を示す図である。
【図３】  同固定装置の水栓取付穴挿入時の状態を示す図である。
【図４】  図３の状態の固定装置を水栓取付穴に挿入している状態を示す図である。
【図５】  図４との比較のため、図１の状態の固定装置をそのまま水栓取付穴に挿入している状態を示す図である。
【図６】  ねじ孔の上部にテーパ部が形成された押え板の一構成例を示す図である。
【符号の説明】
１  水栓固定金具（固定具）
２  押え板
３、４  ボルト
３Ａ、４Ａ  ボルト穴
３Ｂ、４Ｂ  ネジ孔
５  サポートピン（弾性部材）
５Ａ、５Ｂ  サポートピン穴
Ｏ1  水栓固定金具の中心（固定具の中心）
Ｏ2  押え板の中心
【図１】
0004472062.tif 000002
【図２】
0004472062.tif 000003
【図３】
0004472062.tif 000004
【図４】
0004472062.tif 000005
【図５】
0004472062.tif 000006
【図６】
0004472062.tif 000007